(57)【要約】【課題】随時随所に使用することができる火災警報装置を提供する。【解決手段】形状記憶合金体２および電線３で構成する火災センサが本体１に設けられ、電池およびブザーまたはベルに接続される。したがって、火災が発生したとき、その熱によって形状記憶合金体２および電線３で構成する火災センサが動作し、電流が電池から供給され、該火災センサを通り、ブザーまたはベルに流れ、電流によってブザーまたはベルが鳴る。【選択図】図１
2007095047.tif 000002
【特許請求の範囲】
【請求項１】
ポータブルの本体と、
前記本体に内蔵された電池と、
前記本体に内蔵されたブザーまたはベルと、
前記本体に設けられ、前記電池および前記ブザーまたはベルに接続された火災センサとからなり、
火災が発生したとき、その熱によって前記火災センサが動作し、電流が前記電池から供給され、前記火災センサを通り、前記ブザーまたはベルに流れ、前記電流によって前記ブザーまたはベルが鳴るようにしたことを特徴とする火災警報装置。
【請求項２】
前記火災センサは形状記憶合金または形状記憶樹脂体および電線からなり、前記形状記憶合金または形状記憶樹脂体はコイル状のもので、対の電線のまわりに巻き付けられ、前記本体から突出し、前記対の電線が前記電池および前記ブザーまたはベルに接続されており、火災の熱によって前記形状記憶合金または形状記憶樹脂体が形状復元し、前記形状記憶合金または形状記憶樹脂体によって前記対の電線が締め付けられ、その導体が接触し、前記電流が前記ブザーまたはベルに流れるようにしたことを特徴とする請求項１に記載の装置。
【請求項３】
防犯警報装置であり、防犯スイッチが前記本体に内蔵され、前記電池および前記ブザーまたはベルに接続され、ピンが前記本体に差し込まれ、前記防犯スイッチに係合し、ひもが前記ピンに取り付けられており、前記ひもによって前記ピンが引き抜かれたとき、前記ピンによって前記防犯スイッチが動作し、電流が前記電池から供給され、前記防犯スイッチを通り、前記ブザーまたはベルに流れ、前記電流によって前記ブザーまたはベルが鳴るようにしたことを特徴とする請求項２に記載の装置。
【請求項４】
さらに、押しボタンスイッチが前記電池および前記ブザーまたはベルに接続され、前記押しボタンスイッチが操作されたとき、電流が前記電池から供給され、前記押しボタンスイッチを通り、前記ブザーまたはベルに流れ、前記電流によって前記ブザーまたはベルが鳴るようにしたことを特徴とする請求項３に記載の装置。
【請求項５】
前記本体は掌よりも小さく、掌握することができる大きさであることを特徴とする請求項１〜４のいずれかに記載の装置。
【請求項６】
携帯電話であることを特徴とする請求項１に記載の装置。
【発明の詳細な説明】
【技術分野】
【０００１】
この発明は、火災警報装置に関するものである。
【背景技術】
【０００２】
特開２０００−０３６４８８号公報（特許文献１）に記載されているように、火災警報装置は火災センサを有し、天井面に取り付けられ、固定される。そして、火災が発生したとき、その熱または煙によって火災センサが動作し、電流がブザーに流れ、電流によってブザーが鳴る。
【０００３】
ところで、これまで、火災警報装置は固定式のものに限られていた。そして、それが天井面に取り付けられ、固定されるものであるが、この場合、当然のことではあるが、火災警報装置を随時随所に使用することはできない。火災警報装置の固定位置において、火災が発生したとき、ブザーによって火災が警報され、それに的確に対処することができるにすぎない。
【０００４】
一方、特開２０００−０２０８３５号公報（特許文献２）に記載されているように、防犯警報装置としてポータブル式のものが使用されている。同公報の装置では、電池およびブザーまたはベルが本体に内蔵される。本体は掌よりも小さく、掌握することができる大きさであり、ポータブルである。さらに、防犯スイッチが本体に内蔵され、電池およびブザーまたはベルに接続され、ピンが本体に差し込まれ、防犯スイッチに係合し、ひもがピンに取り付けられる。したがって、ひもによってピンが引き抜かれたとき、ピンによって防犯スイッチが動作し、電流が電池から供給され、防犯スイッチを通り、ブザーまたはベルに流れ、電流によってブザーが鳴る。
【０００５】
この発明は、ポータブル式防犯警報装置に着眼してなされたもので、随時随所に使用することができる火災警報装置を提供することを目的とする。
【特許文献１】特開２０００−０３６４８８号公報
【特許文献２】特開２０００−０２０８３５号公報
【発明の開示】
【０００６】
この発明によれば、電池およびブザーまたはベルが本体に内蔵される。本体はポータブルである。さらに、火災センサが本体に設けられ、電池およびブザーまたはベルに接続される。したがって、火災が発生したとき、その熱によって火災センサが動作し、電流が電池から供給され、火災センサを通り、ブザーまたはベルに流れ、電流によってブザーまたはベルが鳴る。
【０００７】
好ましい実施例では、火災センサは形状記憶合金または形状記憶樹脂体および電線からなり、形状記憶合金または形状記憶樹脂体はコイル状のもので、対の電線のまわりに巻き付けられ、本体から突出する。そして、対の電線が電池およびブザーまたはベルに接続され、火災の熱によって形状記憶合金または形状記憶樹脂体が形状復元し、形状記憶合金または形状記憶樹脂体によって対の電線が締め付けられ、その導体が接触し、電流がブザーまたはベルに流れる。
【０００８】
その装置は防犯警報装置である。そして、防犯スイッチが本体に内蔵され、電池およびブザーまたはベルに接続され、ピンが本体に差し込まれ、防犯スイッチに係合し、ひもがピンに取り付けられる。したがって、ひもによってピンが引き抜かれたとき、ピンによって防犯スイッチが動作し、電流が電池から供給され、防犯スイッチを通り、ブザーまたはベルに流れ、電流によってブザーまたはベルが鳴る。
【０００９】
さらに、押しボタンスイッチが電池およびブザーまたはベルに接続される。そして、押しボタンスイッチが操作されたとき、電流が電池から供給され、押しボタンスイッチを通り、ブザーまたはベルに流れ、電流によってブザーまたはベルが鳴る。
【００１０】
その装置は携帯電話であってもよい。
【発明を実施するための最良の形態】
【００１１】
以下、この発明の実施例を説明する。
【００１２】
図１および図２はこの発明にかかる火災警報装置を示す。この装置はポータブル式のもので、図３に示すように、電池ＥおよびブザーＢが本体１に内蔵されていることは特開２０００−０２０８３５号公報の装置と同様である。本体１は掌よりも小さく、掌握することができる大きさであり、ポータブルである。さらに、この装置では、火災センサＫが本体１に設けられ、電池ＥおよびブザーＢに接続されている。したがって、火災が発生したとき、その熱によって火災センサＫが動作し、電流が電池Ｅから供給され、火災センサＫを通り、ブザーＢに流れ、電流によってブザーＢが鳴る。
【００１３】
この実施例では、火災センサＫは形状記憶合金体２および電線３からなり、形状記憶合金体２はコイル状のもので、対の電線３のまわりに巻き付けられており、本体１から突出する。電線３は可溶絶縁電線であり、導体を有し、導体は可溶絶縁体に収容されている。そして、対の電線３が電池ＥおよびブザーＢに接続されている。したがって、火災が発生したとき、火災の熱によって周囲温度が上昇し、その温度が設定温度に達すると、火災の熱によって形状記憶合金体２が形状復元し、その半径が減少する。したがって、形状記憶合金体２によって対の電線３が締め付けられ、その導体が接触し、電流が電線３を通り、ブザーＢに流れ、電流によってブザーＢが鳴る。
【００１４】
したがって、この装置は随時随所に使用することができる。たとえば、火災が発生しやすい台所において、この装置を適所に載置するだけで、火災が発生したとき、ブザーＢによって警報がなされ、火災に的確に対処することができる。本体１は掌よりも小さく、掌握することができる大きさであり、載置するとき、スペース上の問題はない。この装置を寝室に使用することもでき、屋外活動に利用することもできる。
【００１５】
なお、この装置の場合、形状記憶合金体２を対の電線３のまわりに巻き付けるだけでよく、火災センサＫを大幅にコンパクト化することができる。この結果、本体１が掌よりも小さく、掌握することができる大きさであっても、火災センサＫを本体１に設けることができ、火災警報装置を容易にポータブル化することができるものである。
【００１６】
さらに、この実施例では、特開２０００−０２０８３５号公報の装置と同様、防犯スイッチＰ１が本体１に内蔵され、電池ＥおよびブザーＢに接続され、ピン４が本体１に差し込まれ、防犯スイッチＰ１に係合し、ひも５がピン４に取り付けられている。さらに、ひも６が本体１に取り付けられている。したがって、たとえば、荷物を自転車の荷籠に入れるとき、ひも５を荷物に連結し、ひも６を車体に連結すると、荷物が盗られるとき、ひも５によってピン４が引っ張られ、引き抜かれる。そして、ピン４が引き抜かれたとき、ピン４によって防犯スイッチＰ１が動作し、電流が電池Ｅから供給され、防犯スイッチＰ１を通り、ブザーＢに流れ、電流によってブザーＢが鳴る。
【００１７】
したがって、この装置は防犯警報装置であり、防犯機能をもつことは特開２０００−０２０８３５号公報の装置と同様である。しかも、防犯警報装置に防犯機能だけではなく、火災警報機能をもたせることができ、その実用的価値はきわめて大きい。
【００１８】
さらに、この実施例では、押しボタンスイッチＰ２が電池ＥおよびブザーＢに接続される。たとえば、接続端子が本体１に設けられ、電池ＥおよびブザーＢに接続されており、押しボタンスイッチＰ２は押しボタン７を有し、電線８に設けられ、電線８は接続端子に差し込まれ、接続されている。したがって、押しボタンスイッチＰ２が操作されたとき、電流が電池Ｅから供給され、押しボタンスイッチＰ２を通り、ブザーＢに流れ、電流によってブザーＢが鳴る。押しボタンスイッチＰ２を本体１に設け、押しボタン７を本体１から突出させてもよい。
【００１９】
したがって、いわゆるナースコールスイッチとして押しボタンスイッチＰ２を使用し、ブザーＢによって非常事態を警報することもできる。押しボタンスイッチＰ２を本体１に設けてもよい。
【００２０】
さらに、この実施例では、接続端子９が本体１に設けられ、火災センサＫ、防犯スイッチＰ１および押しボタンスイッチＰ２がリレーＲ、ダイオードＤおよびブザーＢに接続され、リレー接点Ｒ１が接続端子９に接続されている。したがって、外部電源およびブザーまたはランプを電線および接続端子９に接続すると、電流およびリレーＲによってリレー接点Ｒ１が動作し、外部電源によってブザーを鳴らすことができ、ランプを点灯させることができる。
【００２１】
さらに、火災センサＫ、防犯スイッチＰ１および押しボタンスイッチＰ２が電池Ｅおよび送信機Ｔに接続されている。したがって、送信機Ｔが無線信号を送信し、相当距離離れた位置において、受信機がその信号を受信するようにすることもできる。
【００２２】
図４および図５の装置も火災警報装置であり、電池およびブザーが本体１に内蔵されているが、この装置は携帯電話であり、本体１は携帯電話の本体からなる。電池およびブザーは携帯電話の電池およびブザーからなる。さらに、火災センサＫが本体１に設けられ、電池およびブザーに接続されている。火災センサＫは形状記憶合金体２および電線３からなる。したがって、火災が発生したとき、ブザーによって警報がなされる。
【００２３】
ブザーに代えてベルを使用することも考えられ、形状記憶合金体に代えて形状記憶樹脂体を使用することも考えられる。
【図面の簡単な説明】
【００２４】
【図１】この発明の実施例を示す正面図である。
【図２】図１の装置の側面図である。
【図３】図１の装置の電気回路図である。
【図４】他の実施例を示す正面図である。
【図５】図４の装置の側面図である。
【符号の説明】
【００２５】
１  本体
２  形状記憶合金体
３  電線
４  ピン
５  ひも
Ｅ  電池
Ｂ  ブザー
Ｋ  火災センサ
Ｐ１  防犯スイッチ
Ｐ２  押しボタンスイッチ
【図１】
2007095047.tif 000003
【図２】
2007095047.tif 000004
【図３】
2007095047.tif 000005
【図４】
2007095047.tif 000006
【図５】
2007095047.tif 000007